(57)【特許請求の範囲】
【請求項１】
牽引車に用意されるソケット部材と、被牽引車に用意される自在型構造のプラグ部材との組み合わせで構成され、
前記ソケット部材は、牽引車の後部荷台に取り付けられるサドル部材と、前記サドル部材に固定され、上向きのソケットを備えたソケット金具と、前記ソケットの内部に突き出るようにバネ作用を受けたプランジャを備え、前記ソケット金具の外面部へ取り付けられたプランジャ型抜け止め金具とで構成され、
前記プラグ部材は、被牽引車の牽引フレームと自在継手を介して連結されたロッドエンド部材と、同ロッドエンド部材へ軸線回りに回転可能に取り付けられた回転ロッドと、及び前記回転ロッドの外面から突出され、上記ソケット金具のソケットへ差し込まれるプラグを備えて成り、
該プラグには差し込み方向の途中位置に上記プランジャ型抜け止め金具のプランジャが食い込むプランジャ受け部が形成され、前記プラグを前記ソケットへ差し込むと、プランジャ受け部へ前記プランジャが食い込んで連結状態を確定する構成であり、
プラグ部材のプラグは先端に向かって先細形状の板状に形成され、同プラグの外周部には差し込み方向の途中位置に切り欠き形状のプランジャ受け部が形成され、また、同プラグにおいてプランジャ型抜け止め金具のプランジャの向きとは直交する方向に、プッシュ式シリンダ錠の掛け金を錠止めするシリンダ錠通し孔が設けられていることを特徴とする、自転車等牽引車とリヤカー等被牽引車の連結装置。
【請求項２】
前記ソケット金具において、プランジャ型抜け止め金具とは別異の位置に、ソケット金具のソケットへ差し込まれたプラグを施錠する掛け金を備えたプッシュ式シリンダ錠が設けられており、プラグには前記プランジャ受け部とは別異の位置に、プッシュ式シリンダ錠の掛け金を錠止めするシリンダ錠通し孔が設けられており、プッシュ式シリンダ錠の掛け金で錠止めして連結状態を確定する構成であることを特徴とする、請求項１に記載した自転車等牽引車とリヤカー等被牽引車の連結装置。
【発明の詳細な説明】
【技術分野】
【０００１】
この発明は、自転車又は原動機付き二輪車、三輪車等（以下、自転車等と総称する。）による牽引車の特に後部荷台部分と、リヤカーに代表される小型の荷物運搬車（以下、リヤカー等と総称する。）の被牽引車とを、必要に応じて連結し又はその連結を解くことが容易、自在な連結装置の技術分野に属する。
【背景技術】
【０００２】
小包や贈答品など軽量・小型の荷物を近距離運搬し又は配達する手段として、自転車等による牽引車の後部荷台部分に、リヤカー等の被牽引車を連結して牽引走行する運搬方法乃至配達手段が広く行われている。
こうした自転車等による牽引車の後部荷台と、リヤカー等の被牽引車とを牽引可能に連結する連結器具ないし連結装置の先行技術としては、たとえば下記した特許文献１、２に開示されたものが公知である。
【０００３】
下記の特許文献１に開示された「牽引ジョイント構造」は、リヤカー等の被牽引車と自転車等による牽引車とを、南京錠を施錠することによって連結し、又は逆に解錠することによって連結を解く構成である。しかし、前記連結の作業を行うには、自転車とリヤカーの位置合わせに厳格な注意と調整が必要であるため、作業の遂行が面倒で困難性がある。特に、路面に勾配がある場所での連結又は連結解除の作業はかなり困難な構成と認められる。
【０００４】
下記の特許文献２に開示された「小型車両用トレーラーの接合部」は、牽引車と被牽引車の連結にピンを差し込む構造である。したがって、双方のピン孔が完全一致しなければピンを通せないという面倒さがあるから、連結又はその解除の頻度が多い用途には適さないと認められる。
【先行技術文献】
【特許文献】
【０００５】
【特許文献１】特開２０１０−２２８６６５号公報
【特許文献２】特開平１０−２９７５５８号公報
【発明の概要】
【発明が解決しようとする課題】
【０００６】
上記の特許文献１、２について既に説明した既往の連結装置は、連結又は連結解除の作業が面倒で困難性があるため、使用者の使い勝手の良さに欠けて時間がかかるため、連結解除の作業頻度が多い用途には適さないという問題点があった。
具体的にいうと、現状のリヤカー等に荷物を積み、自転車等により牽引して荷物を近距離運搬乃至配送する業界での作業手順は、荷物を配り終えて配送センター等へ帰還した配送担当者は、直ちに用済みのリヤカーと自転車の連結を解く。そして、既に荷物を積み込み出発できる用意をしてある別異のリヤカーと自転車を連結し、速やかに再び配達等に出掛ける方式が多く採用されている。
また、配達先によっては自転車とリヤカーの連結を解き、リヤカーを引いてビルなどの施設内へ入りエレベータを利用して各階のへ荷物を届けることも行われている。
したがって、１日に数回程度行われるリヤカーと自転車の連結又は連結解除の作業が面倒で多くの時間が必要であると、その分だけ配達効率の低下につながるので、この種連結装置の一層の改善、改良を望む声が多かった。
因みに、自転車等とリヤカー等の連結を予め一対の関係に連結を固定化し、配送センターでは各リヤカー等へ荷物を積み込んで用意し、配達担当者は、配達を終えて帰還する度に、自転車ごと別異のリヤカーへ乗り換えるシステムも検討されている。しかし、このようなシステムを実施するためには、リヤカー等の台数と同じ台数分の自転車等が必要となり、経済的負担が大きいという問題がある。
【０００７】
本発明の目的は、自転車等の牽引車と、リヤカー等の被牽引車との連結又は連結解除の作業を容易、迅速にできて所要時間が短くて済み、短時間に連結又は連結解除の作業を行えて配達担当者の時間的損失を可及的に削減でき、配達効率の向上を図れる、自転車等牽引車とリヤカー等被牽引車の連結装置を提供することである。
【課題を解決するための手段】
【０００８】
上記した従来技術の課題を解決する手段として、請求項１に記載した発明に係る自転車等牽引車とリヤカー等被牽引車の連結装置１は、
牽引車２に用意されるソケット部材５と、被牽引車４に用意される自在型構造のプラグ部材６との組み合わせで構成され、
前記ソケット部材５は、牽引車２の後部荷台３に取り付けられるサドル部材５０と、前記サドル部材５０に固定され、上向きのソケット５２を備えたソケット金具５１と、前記ソケット５２の内部に突き出るようにバネ作用を受けたプランジャ５３ａを備え、前記ソケット金具５１の外面部へ取り付けられたプランジャ型抜け止め金具５３とで構成され、
前記プラグ部材６は、被牽引車４の牽引フレーム４０と自在継手７を介して連結されたロッドエンド部材８と、同ロッドエンド部材８へ軸線回りに回転可能に取り付けられた回転ロッド９と、及び前記回転ロッド９の外面から突き出され、上記ソケット金具５１のソケット５２へ差し込まれるプラグ６０を備えて成り、
該プラグ６０には差し込み方向の途中位置に上記プランジャ型抜け止め金具５３のプランジャ５３ａが食い込むプランジャ受け部６０ａが形成され、前記プラグ６０を前記ソケット５２へ差し込むと、プランジャ受け部６０ａへ前記プランジャ５３ａが食い込んで連結状態を確定する構成であること、
及びプラグ部材６のプラグ６０は先端に向かって先細形状の板状に形成され、同プラグ６０の外周部には差し込み方向の途中位置に切り欠き形状のプランジャ受け部６０ａが形成され、また、同プラグ６０においてプランジャ型抜け止め金具５３のプランジャ５３ａの向きとは直交する方向に、プッシュ式シリンダ錠５４の掛け金５４ａを錠止めするシリンダ錠通し孔６０ｂが設けられていることを特徴とする。
【００１０】
請求項２に記載した発明は、請求項１に記載した自転車等牽引車とリヤカー等被牽引車の連結装置１において、
前記ソケット金具５１において、プランジャ型抜け止め金具５３とは別異の位置に、ソケット金具５１のソケット５２へ差し込まれたプラグ６０を施錠する掛け金５４ａを備えたプッシュ式シリンダ錠５４が設けられており、プラグ６０には前記プランジャ受け部６０ａとは別異の位置に、プッシュ式シリンダ錠５４の掛け金５４ａを錠止めするシリンダ錠通し孔６０ｂが設けられており、プッシュ式シリンダ錠５４の掛け金５４ａで錠止めして連結状態を確定する構成であることを特徴とする。
【発明の効果】
【００１１】
本発明による自転車等牽引車とリヤカー等被牽引車の連結装置１は、被牽引車４の舵棒に相当する牽引フレーム４０の先端部へ自在継手７を介して連結し取り付けられたプラグ部材６のプラグ６０を、牽引車２の後部荷台３に取り付けたソケット部材５のソケット５２へ一定の深さまで差し込むと、先ずはプランジャ型抜け止め金具５３のプランジャ５３ａが常時のバネ作用で前記プラグ６０のプランジャ受け部６０ａへ突入し食い込んで一応の位置決めが行われる。
続いて、プッシュ式シリンダ錠５４をキーにより施錠操作を行うことにより、その掛け金５４ａがシリンダ錠通し孔６０ｂへ食い込んで錠止め状態となり、牽引車２の後部荷台３と被牽引車４の牽引フレーム４０との連結が直ちに完全に確定される。よって、配達担当者は、直ちに牽引車２を駆動して被牽引車４に積んだ荷物の配送作業に出掛けることができる。
逆に、積荷の配送作業を全て終了して配送センターへ帰還した場合、配達担当者は、先ずプッシュ式シリンダ錠５４をキーで解錠操作し、掛け金５４ａをシリンダ錠通し孔６０ｂから引き外して解錠する。続いて、プランジャ型抜け止め金具５３の摘み５３ｂを掴みプランジャ５３ａを引くことにより、プラグ部材６のプラグ６０は、ソケット部材５１のソケット５２から軽く速やかに引き抜くことができ、簡単、迅速に連結の解除ができる。
したがって、牽引車２を、既に積荷の用意ができている次順の被牽引車４の位置へ運び連結することにより、配送担当者は直ちに積荷の配送作業へ再び出掛けることができ、無駄な時間の消費、損失を可及的に防げる。
【００１２】
更にいうと、請求項１、２に記載した発明に係る牽引車と被牽引車の連結装置１は、被牽引車であるリヤカー４の舵棒に相当する牽引フレーム４０へ自在継手７を介してプラグ部材６を取り付けているから、同プラグ部材６は、自在継手７によって、リヤカー４の牽引フレーム４０に対して上下、左右方向への揺動が自在である。
また、プラグ部材６のプラグ６０は、ロッドエンド部材８へ軸線回りの回転が可能に取り付けた回転ロッド９から放射方向へ突き出されているので、同プラグ６０は軸線回りの回転及び揺動が自在である。
よって、上記プラグ部材６のプラグ６０を、ソケット部材５のソケット５２へ位置合わせを行い差し込む操作の自由度、自在性に富み、連結又は連結解除の作業がすこぶる容易で行い易い。
のみならず、牽引車である自転車２の牽引走行にしたがい、追従走行するリヤカー４等の被牽引車の走行状態に、路面の凹凸や方向転換の曲がり走行などで相対的な運動差を発生しても、連結装置１の順応性と自在性、適応性が良いので、自転車２の走行状態や運転操作に無理、無駄な又は有害な作用力を発生せず、安全で安定した走行を実現できる。
【図面の簡単な説明】
【００１３】
【図１】本発明による自転車等牽引車とリヤカー等被牽引車の連結装置を連結直前の状態で示した正面図である。
【図２】連結装置を構成するプラグ部材と、ソケット部材とを分離して示した斜視図である。
【図３】上記図１に示す連結装置の構造を、連結直前の状態で拡大し一部を破断して示した正面図である。
【図４】Ａは上記連結装置を連結状態で、且つ主要部を一部断面して示した正面図，ＢはＡ図の自在継手部分を示す平面図である。
【図５】前記図４Ａに示した連結装置のソケット部分を示す左側面図である。
【発明を実施するための形態】
【００１４】
本発明による自転車等牽引車とリヤカー等被牽引車の連結装置１は、牽引車２の後部荷台３へ取り付けて用意されるソケット部材５と、被牽引車４の牽引フレーム４０の先端部へ取り付けて用意される自在型構造のプラグ部材６との組み合わせで構成する。
前記ソケット部材５は、牽引車２の後部荷台３へ取り付けるサドル部材５０と、前記サドル部材５０に固定され、上向きのソケット（空洞部）５２を備えたソケット金具５１と、前記ソケット５２の内部に突き出るように常時バネ作用を受けているプランジャ５３ａを備え、前記ソケット金具５１の外面部へ取り付けられたプランジャ型抜け止め金具５３とで構成される。
前記プラグ部材６は、リヤカー等の被牽引車４における牽引フレーム４０と自在継手７を介して連結されたロッドエンド部材８と、同ロッドエンド部材８へ軸線回りの回転が可能に取り付けた回転ロッド９と、及び前記回転ロッド９の外面から突き出され、上記ソケット金具５１のソケット５２へ差し込まれるプラグ６０とで構成する。
前記プラグ６０には、ソケット５２への差し込み方向の途中位置に、プランジャ型抜け止め金具５３のプランジャ５３ａが食い込むプランジャ受け部６０ａが形成され、前記プラグ６０を前記ソケット５２へ差し込むと、プランジャ受け部６０ａへ前記プランジャ５３ａが食い込んで連結状態を確定する。
【００１５】
ソケット金具５１において、プランジャ型抜け止め金具５３とは別異の位置に、ソケット金具５１のソケット５２へ差し込まれたプラグ６０を施錠する掛け金５４ａを備えたプッシュ式シリンダ錠５４が設けられている。プラグ６０には前記プランジャ受け部６０ａとは別異の位置に、プッシュ式シリンダ錠５４の掛け金５４ａを錠止めするシリンダ錠通し孔６０ｂが設けられており、プッシュ式シリンダ錠５４の掛け金５４ａで錠止めして連結状態を確定する構成である。
プラグ部材６のプラグ６０は先端に向かって先細形状の板状に形成され、同プラグ６０の外周部には差し込み方向の途中位置に切り欠き形状のプランジャ受け部６０ａが形成されている。また、同プラグ６０においてプランジャ型抜け止め金具５３のプランジャ５３ａの向きとは直交する方向に、プッシュ式シリンダ錠５４の掛け金５４ａを錠止めするシリンダ錠通し孔６０ｂが設けられている。
【実施例１】
【００１６】
以下に、本発明を図示した実施例に基づいて説明する。
本発明による自転車等牽引車とリヤカー等被牽引車の連結装置１は、図１に構成概要を示した通り、牽引車である自転車２の後部荷台３に取り付けて用意されるソケット部材５と、被牽引車であるリヤカー４から所謂舵棒として前方へ延びる牽引フレーム４０の先端部へ取り付けて用意される自在型構造のプラグ部材６との組み合わせで構成されている。
【００１７】
上記のソケット部材５は、図２〜図５に詳示したとおり、自転車２の後部荷台３の上面部に取り付けるためのサドル部材５０と、
前記サドル部材５０の上面部から垂直上向きに固定され、垂直上向きのソケット（空洞部）５２を備えたソケット金具５１と、
前記ソケット５２に向かって突き出るように常時バネ作用を受けているプランジャ５３ａを備え（図４Ａ）、同プランジャ５３ａの外端に操作用の摘み５３ｂを設け、前記ソケット金具５１の外面部へ水平横向に取り付けられたプランジャ型抜け止め金具５３と、
及びソケット金具５１のソケット５２へ差し込まれたプラグ部材６のプラグ６０を錠止めする掛け金５４ａを備え、同ソケット金具５１において前記プランジャ型抜け止め金具５３とは別異の位置及び向きに取り付けられたプッシュ式シリンダ錠５４とで構成されている。
【００１８】
更に上記ソケット部材５の詳細な構成を説明する。
上記のサドル部材５０は、図５が分かり易いように、自転車２の後部荷台３の外周フレームをその両外側から挟み付けるように下向きのコ字形状とされており、後部荷台３の下面側へ当てがった受け金具５５との間を複数本のボルト５６で連結して、後部荷台３への取り付け固定が行われる。
垂直上向きのソケット（空洞部）５２を備えたソケット金具５１は、図示例の場合、プラグ部材６のプラグ６０が板状に形成されているので（図２）、ソケット５２も前記板状のプラグ６０を密接に差し込み可能な溝形状の空洞部に形成されている。そして、ソケット金具５１も薄幅の袋構造に形成されている。もっともプラグ６０の形状は板状には限らず、円柱形状や角柱形状その他に形成して実施できる。したがって、ソケット５２もプラグ６０の形状に一致する同形状に形成すれば足りる。ソケット金具５１は、Ｔ字形に組み合わせて接合された補強材５１ａと共に、上記サドル部材５０の上面へ一体的に接合されている。
【００１９】
上記のプランジャ型抜け止め金具５３は、図示例の場合は、上記ソケット金具５１の補強材５１ａの外面部に、プランジャ５３ａがソケット５２に向かって水平横向き方向に突き出るように設置されている。プランジャ５３ａは、上記プラグ部材６のプラグ６０に形成されたプランジャ受け部６０ａへ進入して食い込み、プラグ６０を引き抜き不能に止める。このプランジャ５３ａには、プランジャ型抜け止め金具５３の胴部５３ｃ内に仕組んだ圧縮用バネにより、常時突き出し方向へのバネ作用を受けている。したがって、自由状態では、図３、図４に示したように、ソケット５２内に向かって適度な長さ突き出て、プラグ６０の差し込みを待ち受ける構成とされている。このプランジャ５３ａは、その外端に設けた操作用の摘み５３ｂを使用者が引っ張ることで、前記ソケット５２の外方へ引き抜き、プラグ６０のプランジャ受け部６０ａから引き外すことができ、プラグ６０をソケット５２から引き抜いて連結解除を行うことができる。
【００２０】
次に、上記のプッシュ式シリンダ錠５４は、やはりソケット金具５１のソケット５２内へ差し込まれたプラグ部材６のプラグ６０のシリンダ錠通し孔６０ｂへ貫通して施錠する掛け金５４ａを備えている。そして、図示例の場合は上記プランジャ型抜け止め金具５３のプランジャ５３ａとは直交する向きに掛け金５４ａが出入りする配置で、同ソケット金具５１に取り付けられている。
つまり、本発明の連結装置１は、上記のプランジャ型抜け止め金具５３による抜け止め作用だけでなく、このプッシュ式シリンダ錠５４によっても施錠され、二重の抜け止め構造とされている。プッシュ式シリンダ錠５４は、専用のキーで施錠し又は解錠して、掛け金５４ａをシリンダ錠通し孔６０ｂから引き抜くことにより、プラグ６０をソケット５２から引き抜き連結解除を行うことができる。
【００２１】
次に、上記したプラグ部材６の詳細な構成を説明する。
図１と図３、図４を併せてみると分かり易いように、プラグ部材６は、上記ソケット金具５１のソケット５２へ差し込むプラグ（差し込み片）を備えている。このプラグ部材６は、被牽引車であるリヤカー４の牽引フレーム４０の先端部へ次の構成で取り付けられている。
先ず図４Ａ、Ｂを見ると分かり易いように、牽引フレーム４０の先端部であって走行方向と直角な向きに屈曲された部分に、自在継手７が次のように設けられている。
即ち、牽引フレーム４０の上下を挟む配置で２枚の継手板７ａ、７ｂが当てがわれ、牽引フレーム４０を直径方向へ貫通させた２本のボルト７ｃ、７ｃとナット７ｄで結合が行われている。前記２枚の継手板７ａ、７ｂの前側部位には、ロッドエンド部材８の一側端部が、２枚の継手板７ａ、７ｂへ突き通したヒンジボルト７ｅによって回転自在な関係に連結されている。ロッドエンド部材８の前記連結端部の厚さは、２枚の継手板７ａ、７ｂの内側間隔よりもかなり幅狭く、隙間を生じている。よって、前記隙間の分だけロッドエンド部材８は、図３の紙面と平行な上下方向への揺動が自在に連結されている。
かくしてロッドエンド部材８は、上記のヒンジボルト７ｅを中心とする回転を伴う揺動と、及び前記２枚の継手板７ａ、７ｂとの隙間の分だけ、図３の紙面と平行な上下方向への揺動が自在に連結されている。したがって、前記２種の揺動可能性により、牽引車である自転車２と被牽引車であるリヤカー４との走行状態のアンバランスな動作を吸収でき、自転車２の走行及び運転を容易にして安全走行に寄与する。
【００２２】
次に、上記ロッドエンド部材８の先端側には、中空のパイプ構造をなす回転ロッド９が、取り付けボルト１０により、ロッドエンド部材８と共通する中心線を共有して回転する配置に取り付けられている。そのためロッドエンド部材８の先端部には、取り付けボルト１０を必要十分に長くねじ込む雌ネジ穴８ａが中心線方向に設けられている。図４Ｂ中の符号１１は調整用ナットである。
上記回転ロッド９の外面からは放射方向に、先細形状の板状をなすプラグ６０が長く突き出され、このプラグ６０を上記ソケット部材５のソケット５２内へ密接に差し込む構成とされている。もっとも、プラグ部材６のプラグ６０の形状は、図示した先端に向かって先細形状の板状に限らない。先細の円柱形状、又は角柱形状その他で構成して実施することができる。要はソケット部材５のソケット５２を同様な形態の空洞部として形成すれば足りる。
プラグ６０には、その差し込み方向の途中位置であって、上記したプランジャ型抜け止め金具５３のプランジャ５３ａと相対峙する側縁部に、プランジャ５３ａが進入して食い込み仮止めの実効を奏する切り欠き形状のプランジャ受け部６０ａが形成されている。更に前記プランジャ受け部６０ａより先側の側縁部分は、同プラグ６０をソケット５２へ差し込む際に、プランジャ５３ａの上記した突出が邪魔にならない先細角度の急勾配部６０ｃが形成されている。つまり急勾配部６０ｃによりプランジャ５３ａをバネ作用よりも強力に押し下げつつプラグ６０が進むことが可能な構成とされている。
プラグ６０には更に、上記プッシュ式シリンダ錠５４の掛け金５４ａを貫通させて錠止めの実効をあらしめるシリンダ錠通し孔６０ｂも設けられている。
【００２３】
上記した通りの構成であるから、本発明による連結装置１は、牽引車である自転車２と被牽引車であるリヤカー４とを連結するには、自転車２をそのスタンドで立てた状態にしておいて、リヤカー４の舵棒に相当する牽引フレーム４０の先端部へ取り付けたプラグ部材６のプラグ６０を、自転車２の後部荷台３へ取り付けたソケット部材５のソケット５２へ一定の深さまで差し込む。するとプランジャ型抜け止め金具５３のプランジャ５３ａが、前記プラグ６０の切り欠き形状のプランジャ受け部６０ａの進入を待ち受けて、バネの作用で自動的にプランジャ受け部６０ａへ突入して食い込み、仮止めと位置決めが行われるから、その後はプラグ６０から手を離しても、プラグ６０がソケット５２から抜け外れる心配はない。のみならず、プラグ部材６のプラグ６０を腕力で押し引きしたぐらいではソケット５２から抜き外すことはできない。
この仮止め状態で、プッシュ式シリンダ錠５４をキー操作して施錠すると、その掛け金５４ａがプラグ６０のシリンダ錠通し孔６０ｂへ貫通して施錠の状態となり、自転車２とリヤカー４との連結は完全に確定され、いたずら等で連結が外される懸念は一切無い。
つまり、プラグ部材６のプラグ６０をソケット部材５のソケット５２へ一定の深さまで差し込み、プッシュ式シリンダ錠５４のキーを施錠操作するだけのいわばワンタッチ的素早さで、誰でも簡単、迅速に連結ができる。よって、配達担当者は連結作業に手間取ることなく、直ちに当該自転車２に乗り運転して積荷の配送作業に出掛けられる。
逆に、リヤカー４の積荷の配送作業を全て終了し配送センターへ帰還して、自転車２とリヤカー４の連結を解除する場合には、先ずプッシュ式シリンダ錠５４をキーで解錠操作し、その掛け金５４ａをプラグ６０のシリンダ錠通し孔６０ｂから引き抜いて解錠する。しかる後に、プランジャ型抜け止め金具５３の摘み５３ｂを掴みプランジャ５３ａを引く操作により、プラグ６０のプランジャ受け部６０ａから引き外す。するとプラグ部材６のプラグ６０はソケット部材５のソケット５２から自由に引き抜くことができ、いわばワンタッチ的素早さで誰でも簡単、迅速に連結解除を行なえる。
したがって、当該自転車２を、既に積荷の用意ができている次順のリヤカー４の位置まで運び連結することにより、配送担当者は、再び積荷の配送作業に出掛けることができ、無駄な時間の消費を可及的に防げる。
【００２４】
また、本発明による連結装置１によれば、リヤカー４の舵棒に相当する牽引フレーム４０へ自在継手７と回転ロッド９を介してプラグ部材６を取り付けているから、同プラグ部材６は、自在継手７によってリヤカー４の牽引フレーム４０に対して上下・左右方向への揺動自在性を有する。また、回転ロッド９が軸線回りの回転および揺動が自在であるため、プラグ部材６のプラグ６０をソケット部材５のソケット５２へ差し込む連結操作の自由度に富み、連結又は連結解除の操作・作業がすこぶる容易で行い易い。
のみならず、自転車等牽引車の牽引走行にしたがって追従走行するリヤカー等被牽引車の走行状態に関しても、路面の凹凸や、方向を変える際の曲がり走行などで相対的な運動差を発生しても、連結装置１は上記したとおりに自在性を有し順応性が良いから、自転車等牽引車の走行状態や運転操作に無理、無駄な強制力が発生せず、安全、安定な走行を実現可能である。
【００２５】
以上に本発明を図示した実施例に基づいて説明したが、勿論、本発明は上記実施例の構成に限定されるものではない。本発明の要旨、及び技術思想を逸脱しない範囲で、当業者が必要に応じて行う設計変更や応用、変形として種々な態様で実施され得ることを、念のため申し添える。
【符号の説明】
【００２６】
１            連結装置
２            牽引車（自転車等）
３            後部荷台
４            被牽引車（リヤカー等）
４０          牽引フレーム
５            ソケット部材
６            プラグ部材
６０          プラグ
５１          ソケット金具
５０          サドル部材
５２          ソケット
５３          プランジャ型抜け止め金具
５３ａ        プランジャ
５３ｂ        摘み
５４          プッシュ式シリンダ錠
５４ａ        掛け金
７            自在継手
８            ロッドエンド部材
９            回転ロッド
６０ａ        プランジャ受け部
６０ｂ        シリンダ錠通し孔
【図１】
0005944130.tif 000002
【図２】
0005944130.tif 000003
【図３】
0005944130.tif 000004
【図４】
0005944130.tif 000005
【図５】
0005944130.tif 000006